(57)【要約】【課題】血圧測定装置を装着する被検体の大きさにより、被検体を圧迫するカフの大きさは制限されることになる。さらに、外耳等の被検体は複雑な形状をしており、その形状には個人差がある。そのため、血圧測定装置を外耳等の被検体に固定することは難しく、カフによる外耳等の被検体を圧迫する圧力も不均一になりやすい。また、被検体内の血管分布は被検者毎に異なっているため、阻血が不十分となりやすく血圧測定の精度に課題があった。【解決手段】本願の発明に係る血圧測定装置は、被検体を挟持する二のアームに被検体を圧迫する圧迫面の面積が互いに異なるカフを搭載し、前記カフのうち面積が小さい方のカフをカフの大きさが制限される方に、面積の大きい方のカフを前記制限の少ない方に配置することとした。【選択図】図１
2006325825.tif 000002
【特許請求の範囲】
【請求項１】
対向する二のアームで被検体を挟持するＵ字型構造の挟持部と、
前記被検体を圧迫する圧迫面の面積が互いに異なる二のカフと、
を備える血圧測定装置であって、
前記二のカフは前記被検体を圧迫する圧迫面が互いに対向するよう前記二のアームの対向する側にそれぞれ搭載されていることを特徴とする血圧測定装置。
【請求項２】
前記二のカフのうち、前記被検体を圧迫する圧迫面が広いカフの圧迫面の面積は前記被検体を圧迫する圧迫面が狭いカフの圧迫面の面積の２倍以上５倍以下であることを特徴とする請求項１に記載の血圧測定装置。
【請求項３】
前記二のカフは液体又は気体の供給と排出により伸縮する袋状のカフであって、前記二のカフの前記圧迫面の周囲をそれぞれ囲う枠をさらに備えることを特徴とする請求項１又は２に記載の血圧測定装置。
【請求項４】
前記二のカフのうち前記被検体を圧迫する圧迫面が広いカフの圧迫面の一部又は全部の形状が前記被検体の圧迫される一部又は全部の形状に近似する形状であることを特徴とする請求項１から３に記載のいずれかの血圧測定装置。
【請求項５】
前記二のカフのうち前記被検体を圧迫する圧迫面が狭いカフの圧迫面の形状が前記二のアームの長手方向と平行な長軸を有する楕円形状であることを特徴とする請求項１から４に記載のいずれかの血圧測定装置。
【請求項６】
前記Ｕ字型構造の挟持部は、前記被検体を圧迫する圧迫面が狭いカフを耳珠の外耳道側に、前記被検体を圧迫する圧迫面が広いカフを耳珠の外側に接触させ耳珠を挟持することを特徴とする請求項１から５に記載のいずれかの血圧測定装置。
【請求項７】
前記被検体に光を照射する発光素子及び前記発光素子が照射した光が前記被検体を透過又は散乱した光を受光する受光素子をさらに備え、
前記発光素子は前記二のカフのうち前記被検体を圧迫する圧迫面が広いカフの圧迫面上で前記被検体を圧迫する圧力の圧力分布が均一である範囲に搭載され、
前記受光素子は前記二のカフのうち前記被検体を圧迫する圧迫面が狭いカフの圧迫面上で前記被検体を圧迫する圧力の圧力分布が均一である範囲に搭載されていることを特徴とする請求項１から６に記載のいずれかの血圧測定装置。
【請求項８】
前記被検体に光を照射する発光素子及び前記発光素子が照射した光が前記被検体を透過又は散乱した光を受光する受光素子をさらに備え、
前記発光素子は前記二のカフのうち前記被検体を圧迫する圧迫面が狭いカフの圧迫面上で前記被検体を圧迫する圧力の圧力分布が均一である範囲に搭載され、
前記受光素子は前記二のカフのうち前記被検体を圧迫する圧迫面が広いカフの圧迫面上で前記被検体を圧迫する圧力の圧力分布が均一である範囲に搭載されていることを特徴とする請求項１から６に記載のいずれかの血圧測定装置。
【請求項９】
前記被検体に光を照射する発光素子及び前記発光素子が照射した光が前記被検体で反射した光を受光する受光素子をさらに備え、
前記発光素子及び前記受光素子は前記二のカフのうち前記被検体を圧迫する圧迫面が狭いカフの圧迫面上で前記被検体を圧迫する圧力の圧力分布が均一である範囲に重ならないように搭載されていることを特徴とする請求項１から６に記載のいずれかの血圧測定装置。
【請求項１０】
前記被検体に光を照射する発光素子及び前記発光素子が照射した光が前記被検体で反射した光を受光する受光素子をさらに備え、
前記発光素子及び前記受光素子は前記二のカフのうち前記被検体を圧迫する圧迫面が広いカフの圧迫面上で前記被検体を圧迫する圧力の圧力分布が均一である範囲に重ならないように搭載されていることを特徴とする請求項１から６に記載のいずれかの血圧測定装置。
【発明の詳細な説明】
【技術分野】
【０００１】
本発明は、アームにより被検体を挟持する血圧測定装置に関するものである。
【背景技術】
【０００２】
高齢化が進み、成人の生活習慣病への対応が社会的に大きな課題となっている。特に高血圧に関連する疾患の場合、長期の血圧データの収集が非常に重要である点が認識されている。例えば、常時装着を可能とするため被検者の生活に支障が出ないように外耳の一部に装着する小型の血圧測定装置も開発されている（例えば、特許文献１参照。）。前記血圧測定装置は本体を外耳道又は外耳中の他の部位に挿入して、脈拍、脈波、心電、体温、動脈血酸素飽和度、及び血圧などを被検体内へ放射した赤外光、可視光の散乱光の受光量から計算するものである。
【０００３】
なお、本願では、耳介の名称は非特許文献１、２による。
【特許文献１】特開平９−１２２０８３号公報
【非特許文献１】Ｓｏｂｏｔｔａ  図説人体解剖学第１巻（監訳者：岡本道雄）、ｐ．１２６、（株）医学書院、１９９６年１０月１日発行
【非特許文献２】Ｓｏｂｏｔｔａ  図説人体解剖学第１巻（監訳者：岡本道雄）、ｐ．１２７、（株）医学書院、１９９６年１０月１日発行
【発明の開示】
【発明が解決しようとする課題】
【０００４】
コロトコフ法、オシロメトリック法等のカフを用いて被検体を圧迫して血流を阻血する血圧測定方式は従来から一般的に血圧測定時に用いられてきたが、カフを採用した場合、良好に阻血するためには被検体を均一に圧迫することが求められ、適切なカフの幅が必要であった。
【０００５】
しかし、血圧測定をしようとする被検体の大きさにより、血圧測定装置の大きさは制限され、合わせてカフの大きさも制限されることになる。特に、外耳等の被検体は複雑な形状（例えば、非特許文献１、２参照。）をしており、その形状には個人差がある。そのため、血圧測定装置を外耳等の被検体に固定することは難しく、カフによる外耳等の被検体を圧迫する圧力も不均一になりやすい。また、被検体内の血管分布は被検者毎に異なっているため、阻血が不十分となりやすく血圧測定の精度に課題があった。
【０００６】
本願発明は上記課題を解決するためになされたもので、被検体の大きさにより血圧測定装置の大きさが制限されるような場合であっても被検体に安定して装着することができ、被検体を広く均一に圧迫して精度よく血圧測定ができる血圧測定装置を提供することを目的とする。
【課題を解決するための手段】
【０００７】
上記目的を達成するために、本願の発明に係る血圧測定装置は、被検体を挟持する二のアームに被検体を圧迫する圧迫面の面積が互いに異なる二のカフをそれぞれ搭載し、前記カフのうち面積が小さい方のカフを被検体の血圧測定装置の大きさが制限される側に、面積の大きい方のカフを前記制限の少ない側に配置して装着することとした。
【０００８】
具体的には、本願の発明は、対向する二のアームで被検体を挟持するＵ字型構造の挟持部と、前記被検体を圧迫する圧迫面の面積が互いに異なる二のカフと、を備える血圧測定装置であって、前記二のカフは前記被検体を圧迫する圧迫面が互いに対向するよう前記二のアームの対向する側にそれぞれ搭載されていることを特徴とする血圧測定装置である。
【０００９】
本願の発明に係る血圧測定装置は、前記二のカフのうち前記被検体を圧迫する圧迫面が広いカフ（以下、「前記二のカフのうち前記被検体を圧迫する圧迫面が広いカフ」を「幅広カフ」と略記する。）と前記二のカフのうち前記被検体を圧迫する圧迫面が狭いカフ（以下、「前記二のカフのうち前記被検体を圧迫する圧迫面が狭いカフ」を「幅狭カフ」と略記する。）とを前記Ｕ字型構造の挟持部の対向する二のアームにそれぞれ搭載する。前記幅狭カフを被検体の血圧測定装置の大きさが制限される側に配置し、前記幅広カフを前記制限が少ない側に配置し、前記幅広カフの圧迫面及び前記幅狭カフの圧迫面によって被検体を挟み込むようにして前記血圧測定装置を装着する。血圧測定装置の大きさが制限されていても前記幅広カフにより被検体との接触面積が増えるため前記血圧測定装置を安定して被検体に装着することができる。また、被検体の血圧測定をしようとする測定面と前記幅広カフの圧迫面とを接触させるように装着することで測定面は前記幅広カフにより広く覆われることになる。さらに、前記幅広カフは前記アーム側へは膨張せず、前記被検体方向に膨張するため、前記幅広カフは圧迫面により被検体と接触する一定範囲を広く均一に圧迫することができる。ゆえに、前記幅広カフは被検体の形状及び被検体の血管分布に関わらず、被検体内の血管を広範囲にわたって良好に阻血することができる。
【００１０】
従って、本願の発明は、血圧測定装置の大きさが制限されるような場合であっても被検体に安定して装着することができ、被検体を広く均一に圧迫して精度よく血圧測定ができる血圧測定装置を提供することができる。
【００１１】
本願の発明に係る血圧測定装置において、前記二のカフのうち、前記被検体を圧迫する圧迫面が広いカフの圧迫面の面積は前記被検体を圧迫する圧迫面が狭いカフの圧迫面の面積の２倍以上５倍以下であることが好ましい。
【００１２】
前記幅広カフの圧迫面の面積は、前記血圧測定装置の安定装着及び被検体の血圧測定をしようとする測定面を広く覆うために幅狭カフの圧迫面の面積の２倍以上であることが好ましい。一方、外耳等の被検体に装着するためには被検体の大きさにより前記幅広カフの圧迫面の面積は幅狭カフの圧迫面の面積の５倍以下に制限されることになる。
【００１３】
従って、本願の発明は、前記幅広カフの圧迫面の面積を幅狭カフの圧迫面の面積の２倍以上５倍以下とすることで、血圧測定装置の大きさが制限されるような場合であっても外耳等の被検体に安定して装着することができ、被検体を広く均一に圧迫して精度よく血圧測定ができる血圧測定装置を提供することができる。
【００１４】
本願の発明に係る血圧測定装置において、前記二のカフは液体又は気体の供給と排出により伸縮する袋状のカフであって、前記二のカフの前記圧迫面の周囲をそれぞれ囲う枠をさらに備えてもよい。
【００１５】
前記二のカフを液体又は気体の供給と排出により伸縮する袋状のカフとすることで、前記二のカフは液体又は気体の供給で膨張する力を利用して被検体を圧迫することができる。さらに、前記幅広カフの前記圧迫面の周囲を囲う前記枠を備えることにより、前記幅広カフは前記アーム側だけでなく、前記枠と接触する方向への膨張も阻害される。ゆえに、前記幅広カフは開放されている前記圧迫面が膨張することになり、供給された液体又は気体の圧力を被検体に効率よく伝え、被検体を圧迫することができる。前記幅狭カフも同様に前記枠を備えることにより供給された液体又は気体の圧力を被検体に効率よく伝え、被検体を圧迫することができる。
【００１６】
従って、本願の発明は、血圧測定装置の大きさが制限されるような場合であっても被検体に安定して装着することができ、被検体を広く均一に圧迫して精度よく血圧測定ができる血圧測定装置を提供することができる。
【００１７】
本願の発明に係る血圧測定装置において、前記二のカフのうち前記被検体を圧迫する圧迫面が広いカフの圧迫面の一部又は全部の形状が前記被検体の圧迫される一部又は全部の形状に近似する形状であることが好ましい。
【００１８】
外耳等の被検体の大きさにより、前記幅広カフの大きさも制限されることもある。そこで、前記幅広カフの圧迫面の一部又は全部の形状を被検体の一部又は全部の形状に近似させることで、前記幅広カフの大きさが制限されていても被検体との接触面積を広くすることができ、前記血圧測定装置の装着を安定させることができる。さらに、前記幅広カフは広く均一に被検体を圧迫することができる。
【００１９】
従って、本願の発明は、血圧測定装置の大きさが制限されるような場合であっても被検体が複雑な形状をしていても被検体に安定して装着することができ、被検体を広く均一に圧迫して精度よく血圧測定ができる血圧測定装置を提供することができる。
【００２０】
本願の発明に係る血圧測定装置において、前記二のカフのうち前記被検体を圧迫する圧迫面が狭いカフの圧迫面の形状が前記二のアームの長手方向と平行な長軸を有する楕円形状であることが好ましい。
【００２１】
外耳等の被検体の大きさにより前記幅狭カフの大きさは制限される。特に、前記幅狭カフを外耳道内に配置して前記血圧測定装置を装着する場合、前記幅狭カフの大きさは大幅に制限される。そこで、前記幅狭カフの圧迫面の形状を前記二のアームの長手方向と平行な長軸を有する楕円形状とすることで、前記幅狭カフの大きさが制限されていても外耳道の内壁との接触面積を広くすることができ、前記血圧測定装置の装着を安定させることができる。さらに、前記幅狭カフは接触する外耳道の内壁を広く均一に圧迫することができる。
【００２２】
従って、本願の発明は、前記幅狭カフを外耳道内に配置することで、血圧測定装置の大きさが制限されるような場合であっても被検体に安定して装着することができ、被検体を広く均一に圧迫して精度よく血圧測定ができる血圧測定装置を提供することができる。
【００２３】
本願の発明に係る血圧測定装置において、前記Ｕ字型構造の挟持部は、前記被検体を圧迫する圧迫面が狭いカフを耳珠の外耳道側に、前記被検体を圧迫する圧迫面が広いカフを耳珠の外側に接触させ耳珠を挟持することが好ましい。
【００２４】
本願の発明に係る血圧測定装置における前記Ｕ字型構造の挟持部の前記二のアームのうち前記幅狭カフが搭載されているアームを外耳道に挿入し、前記幅狭カフの圧迫面を耳珠の外耳道側に接触させる。一方、前記幅広カフの圧迫面を耳珠の外側に接触させ、耳珠の外側の血圧測定をしようとする測定面を広く覆う。前記幅狭カフ及び前記幅広カフにより耳珠の外耳道側と外側から挟持して前記血圧測定装置を装着する。前記幅広カフにより耳珠の外側で接触面積が増えたことで前記血圧測定装置を安定して耳珠に装着することができる。さらに、前記幅広カフ及び前記幅狭カフは前記アーム側へは膨張せず、挟持した耳珠の方向に膨張するため、耳珠内の血管を広範囲にわたって良好に阻血することができる。
【００２５】
本願の発明は、血圧測定装置の大きさが制限される耳珠に安定して装着することができ、耳珠を広く均一に圧迫して精度よく血圧測定ができる血圧測定装置を提供することができる。
【００２６】
本願の発明に係る血圧測定装置において、前記被検体に光を照射する発光素子及び前記発光素子が照射した光が前記被検体を透過又は散乱した光を受光する受光素子をさらに備え、前記発光素子は前記二のカフのうち前記被検体を圧迫する圧迫面が広いカフの圧迫面上で前記被検体を圧迫する圧力の圧力分布が均一である範囲に搭載され、前記受光素子は前記二のカフのうち前記被検体を圧迫する圧迫面が狭いカフの圧迫面上で前記被検体を圧迫する圧力の圧力分布が均一である範囲に搭載されていることが好ましい。
【００２７】
また、前記被検体に光を照射する発光素子及び前記発光素子が照射した光が前記被検体を透過又は散乱した光を受光する受光素子をさらに備え、前記発光素子は前記二のカフのうち前記被検体を圧迫する圧迫面が狭いカフの圧迫面上で前記被検体を圧迫する圧力の圧力分布が均一である範囲に搭載され、前記受光素子は前記二のカフのうち前記被検体を圧迫する圧迫面が広いカフの圧迫面上で前記被検体を圧迫する圧力の圧力分布が均一である範囲に搭載されていてもよい。
【００２８】
さらに、前記被検体に光を照射する発光素子及び前記発光素子が照射した光が前記被検体で反射した光を受光する受光素子をさらに備え、前記発光素子及び前記受光素子は前記二のカフのうち前記被検体を圧迫する圧迫面が狭いカフの圧迫面上で前記被検体を圧迫する圧力の圧力分布が均一である範囲に重ならないように搭載されていてもよい。
【００２９】
逆に、前記被検体に光を照射する発光素子及び前記発光素子が照射した光が前記被検体で反射した光を受光する受光素子をさらに備え、前記発光素子及び前記受光素子は前記二のカフのうち前記被検体を圧迫する圧迫面が広いカフの圧迫面上で前記被検体を圧迫する圧力の圧力分布が均一である範囲に重ならないように搭載されていてもよい。
【００３０】
前記発光素子及び前記受光素子を使用した光電測定手段においては良好に阻血されている箇所に前記発光素子の発した光を照射する必要がある。一方、前記幅広カフ及び前記幅狭カフの圧迫面上において前記被検体を圧迫する圧力の圧力分布が均一となる範囲（以下、「圧迫面上において前記被検体を圧迫する圧力の圧力分布が均一となる範囲」を「圧力均一範囲」と略記する。）がある。被検体を圧迫する際に前記圧力均一範囲によって被検体内に均一な圧力が印加されるため、被検体の血管分布が異なっていても被検体内に良好に阻血することができる一定の範囲（以下、「良好に阻血することができる一定の範囲」を「良好阻血範囲」と略記する。）が生ずる。そこで、前記幅広カフ又は／及び前記幅狭カフの前記圧力均一範囲に前記発光素子及び前記受光素子を搭載することで、被検体内の良好阻血範囲に光を照射することができ、良好阻血範囲で透過、散乱又は反射した光を受光することができる。ゆえに、被検体の脈動を精度よく測定することができる。
【００３１】
従って、本願の発明は、血圧測定装置の大きさが制限されるような場合であっても被検体に安定して装着することができ、被検体を広く均一に圧迫して精度よく血圧測定ができる血圧測定装置を提供することができる。
【発明の効果】
【００３２】
本願の発明は、血圧測定装置の大きさが制限されるような場合であっても被検体に安定して装着することができ、被検体を広く均一に圧迫して精度よく血圧測定ができる血圧測定装置を提供することができる。
【発明を実施するための最良の形態】
【００３３】
添付の図面を参照して本願発明の実施の形態を説明する。以下に説明する実施の形態は本願発明の構成の例であり、本願発明は、以下の実施の形態に制限されるものではない。
【００３４】
（実施の形態１）
本願の発明の実施形態に係る血圧測定装置は、対向する二のアームで被検体を挟持するＵ字型構造の挟持部と、前記被検体を圧迫する圧迫面の面積が互いに異なる二のカフと、を備える血圧測定装置であって、前記二のカフは前記被検体を圧迫する圧迫面が互いに対向するよう前記二のアームの対向する側にそれぞれ搭載されていることを特徴とする。
【００３５】
本願の発明の一の実施形態に係る血圧測定装置１１１の概略図を図１に示す。図１の血圧測定装置１１１は被検体として外耳の一部である耳珠１を挟み込んで装着している。血圧測定装置１１１はＵ字型構造挟持部１０及び前記二のカフとしてのカフ１５とカフ１６とを備える。図１は血圧測定装置１１１のＵ字型構造挟持部１０がＵ字に見える方向から示したものである。以下の説明において、Ｕ字型構造挟持部１０がＵ字に見える血圧測定装置の面を側面とする。なお、図１および以下の図においては、血圧測定装置１１１に関連する表示部、電源部、その他の通常の技術により実現できる部分は表示していない。
【００３６】
Ｕ字型構造挟持部１０は前記二のアームとしての第一アーム１１と第二アーム１２とから構成される。Ｕ字型構造挟持部１０は耳珠１を第一アーム１１及び第二アーム１２によって挟持するＵ字型形状の一体の構造体である。なお、Ｕ字型構造挟持部１０は耳珠全体を挟持できる程度の大きさである。さらに、図１のように第一アーム１１と第二アーム１２とを調整部１９で接続してもよい。調整部１９により第一アーム１１と第二アーム１２との間隔を耳珠１の大きさに合わせ調整することができる。調整部１９は蝶番とすることができる。
【００３７】
Ｕ字型構造挟持部１０は、耳珠１を挟持し、かつカフ１５及びカフ１６からの圧力を受けるため、変形しない部材で形成される。また、外耳の一部に装着するため、軽量であることが求められる。例えば、アルミニウム合金やマグネシウム合金等の金属あるいはアクリルやポリカーボネート等のプラスチックで形成されることが好ましい。
【００３８】
カフ１５はカフ１５の外部に圧力を印加するものである。カフ１５はカフ１５の表面に被検体と接触し、被検体を圧迫する圧迫面１５ａを有する。カフ１５は水等の液体又は空気等の気体が供給又は排気されることで膨張又は収縮するように袋状となっており、耳珠１の形状に合わせて変形する程度柔軟性を有している。カフ１５は膨張及び収縮可能かつ柔軟な素材、例えば、シリコンゴム、天然ゴム等のゴム素材を使用することができる。
【００３９】
カフ１５には液体又は気体を供給するポンプが配管を通じて接続され、さらに、カフ１５内の液体又は気体の圧力を測定する圧力センサも配管を通じて接続されている。前記ポンプ及び圧力センサはＵ字型構造挟持部１０に内蔵あるいは外部に設置することができる。なお、前記ポンプ、前記圧力センサ及び前記配管は通常の技術で実現されるために図１及び以下で説明する図面において図示をしていない。カフ１５は前記ポンプにより液体又は気体が供給され膨張し、カフ１５の外部に圧力を印加することができる。一方、カフ１５に供給された液体又は気体を前記ポンプにより排出することでカフ１５は収縮し、外部を圧迫する圧力を弱くすることができる。前記圧力センサによりカフ１５内の液体又は気体の圧力を測定することができ、前記圧力センサの測定したカフ１５内の圧力を外部を圧迫する圧力とすることができる。従って、カフ１５は液体又は気体の供給及び排出を調整することで外部を圧迫する圧力を調整することができる。なお、カフ１５のゴム素材の弾性力と図示されない弁の開閉により、前記ポンプを用いず、供給された液体又は気体を排出してもよい。
【００４０】
カフ１６はカフ１５と同じ機能及び同じ動作をする。カフ１６はカフ１６の表面に被検体と接触し、被検体を圧迫する圧迫面１６ａを有する。カフ１５とカフ１６の違いは、圧迫面１６ａの面積が圧迫面１５ａの面積より狭いことである。なお、圧迫面１５ａの面積は圧迫面１６ａの面積の２倍以上５倍以下であることが好ましい。
【００４１】
カフ１５の圧迫面１５ａの面積は、血圧測定装置１１１の安定装着のため及び被検体の血圧測定をしようとする測定面を広く覆うためにカフ１６の圧迫面１６ａの面積の２倍以上であることが好ましい。一方、耳珠１に装着するためには耳珠１の大きさによりカフ１５の圧迫面１５ａの面積はカフ１６の圧迫面１６ａの面積の５倍以下に制限されることになる。
【００４２】
圧迫面１５ａと圧迫面１６ａが互いに対向するようにカフ１５はＵ字型構造挟持部１０の第一アーム１１に、カフ１６はＵ字型構造挟持部１０の第二アーム１２に搭載される。従って、カフ１５の圧迫面１５ａとカフ１６の圧迫面１６ａとの間に耳珠１が挿入されることになる。なお、第一アーム１１の長手方向に対し垂直な方向の第一アーム１１の幅よりカフ１５の幅が広い場合は、カフ１５が第一アーム１１側へ膨張しないように第一アーム１１とカフ１５との間に受け板１５ｂを搭載してもよい。同様に、第二アーム１２とカフ１６との間に受け板１６ｂを搭載してもよい。受け板１５ｂ及び受け板１６ｂはＵ字型構造挟持部１０と同様に変形しない部材で形成される。
【００４３】
図１の血圧測定装置１１１ではカフ１５とカフ１６は配管１７で接続されているため、前記ポンプは一機でよい。また、圧迫面１５ａの耳珠１を圧迫する圧力と圧迫面１６ａの耳珠１を圧迫する圧力は同じとなるため、前記圧力センサも一台でよい。なお、配管１７でカフ１５とカフ１６を接続せず、別個に前記ポンプ及び前記圧力センサを接続してもよい。
【００４４】
Ｕ字型構造挟持部１０、受け板１５ｂ及び受け板１６ｂは変形しない素材で形成されるため、カフ１５の膨張時にはカフ１５は第一アーム１１側へ膨張せず、圧迫面１５ａが膨張することになる。同様にカフ１６の膨張時にはカフ１６は第二アーム１２側へ膨張せず、圧迫面１６ａが膨張することになる。すなわち、Ｕ字型構造挟持部１０が耳珠１を挟持している場合、耳珠１は圧迫面１５ａと圧迫面１６ａとにより圧迫されることになる。
【００４５】
血圧測定装置１１１は、前記Ｕ字型構造の挟持部が、前記被検体を圧迫する圧迫面が狭いカフを耳珠の外耳道側に、前記被検体を圧迫する圧迫面が広いカフを耳珠の外側に接触させ耳珠を挟持するように装着する。
【００４６】
図２に血圧測定装置１１１の装着例を示す。図２は血圧測定装置１１１を耳珠１に装着した例である。図２において図１で用いた符号と同じ符号は同じ構成及び同じ機能である。第二アーム１２を外耳道に挿入し、カフの大きさが制限される耳珠１の外耳道側（以下、「耳珠１の外耳道側」を「耳珠１の内側」と略記する。）に配置し、第一アーム１１を前記制限が少ない耳珠１の外耳道の反対側（以下、「耳珠１の外耳道の反対側」を「耳珠１の外側」と略記する。）に配置するように装着する。なお、図２の血圧測定装置１１１では、カフ１５は受け板１５ｂと耳珠１との間にあるため破線で示し、第二アーム１２の一部、カフ１６及び圧迫面１６ａは耳珠１の内側にあるため表示していない。従って、カフ１５とカフ１６で耳珠１を挟むようにすることで血圧測定装置の大きさが制限される被検体に血圧測定装置１１１を装着することができる。また、カフ１５が耳珠１の外側を広く覆うため血圧測定装置１１１を安定して耳珠１に装着させることができる。さらにカフ１５及びカフ１６には柔軟性があるため、耳珠１が複雑かつ個人差があるような形状であっても、カフ１５及びカフ１６は膨張時に耳珠１の形状に合わせて膨張面が変形する。ゆえに、カフ１５及びカフ１６は耳珠１を広く均一に加圧することができる。従って、血圧測定装置１１１と耳珠１との相対位置、耳珠１の形状及び耳珠１の血管分布に関わらず、カフ１５及びカフ１６は耳珠１内に良好阻血範囲を生じさせることができる。
【００４７】
血圧測定装置１１１は以下のように動作する。以下の図２の血圧測定装置１１１の説明ではカフ１５及びカフ１６は空気で膨張するものとして説明する。前記圧力センサが所定の値になるまで前記ポンプにより空気を供給し、カフ１５及びカフ１６の耳珠１を圧迫する圧力を強くし、耳珠１内に良好阻血範囲を生じさせる。その後、カフ１５及びカフ１６内の空気を徐々に排出し、耳珠１を圧迫する圧力を減少させる。耳珠１を圧迫する圧力の減少に伴い、耳珠１の内部で阻血されていた血液が流れ始め、前記血流による脈動が大きくなり始める。前記血流の脈動はカフ１５及びカフ１６内の空気を介して前記圧力センサで検出することができる。カフ１５及びカフ１６が耳珠１を圧迫する圧力がさらに弱くなると、前記血流の脈動が小さくなり前記圧力センサは脈動を検出できなくなる。例えば、前記血流の脈動を検出し始めたときの前記圧力センサの圧力を収縮期血圧値、前記血流の脈動を検出できなくなったときの前記圧力センサの圧力を拡張期血圧値とすることができる。また、前記圧力センサが検出した脈動の周波数から脈拍数を算出することができる。カフ１５及びカフ１６が耳珠１を圧迫しなくなった時点で血圧測定装置１１１は血圧測定を終了する。なお、収縮期血圧値及び拡張期血圧値は血圧値の名称の一例であり、他の名称を使用することもある。
【００４８】
従って、血圧測定装置１１１は、血圧測定装置の大きさが制限される耳珠１に安定して装着することができ、耳珠１を広く均一に圧迫して精度よく血圧測定をすることができる。
【００４９】
（実施の形態２）
本願の発明に係る血圧測定装置において、前記二のカフは液体又は気体の供給と排出により伸縮する袋状のカフであって、前記二のカフの前記圧迫面の周囲をそれぞれ囲う枠をさらに備えてもよい。
【００５０】
図３は、本願の発明の他の実施形態に係る血圧測定装置１１３の側面を示す概略図である。血圧測定装置１１３は被検体として外耳の一部である耳珠１に装着する。図３において、図１及び図２で用いた符号と同じ符号は同じ機能及び同じ動作をする。血圧測定装置１１３と図１の血圧測定装置１１１との違いはカフ１５の周囲を囲う枠３５と、カフ１６の周囲を囲う枠３６と、をさらに備えていることである。
【００５１】
枠３５及び枠３６は、カフ１５及びカフ１６からの圧力を受けるため、変形しない部材で形成される。また、血圧測定装置１１３は耳珠１に装着するため、枠３５及び枠３６は軽量であることが求められる。例えば、アルミニウム合金やマグネシウム合金等の金属あるいはアクリルやポリカーボネート等のプラスチックで形成されることが好ましい。
【００５２】
枠３５は圧迫面１５ａの周囲に沿ってカフ１５の周囲を囲うように第一アーム１１上又は受け板１５ｂ上に搭載される。すなわち、Ｕ字型構造挟持部１０が耳珠１を挟持する際に耳珠１と第一アーム１１又は受け板１５ｂとの間に生ずる隙間に枠３５が存在することになる。従って、枠３５は液体又は気体の供給されたカフ１５が前記隙間方向に膨張することを防止することができる。カフ１５は開放されている圧迫面１５ａが膨張することになり、カフ１５は供給された液体又は気体の圧力を耳珠１に効率よく伝えることができる。
【００５３】
枠３６も枠３５と同様に圧迫面１６ａの周囲に沿ってカフ１６の周囲を囲うように第二アーム１２上又は受け板１６ｂ上に搭載される。枠３６により開放されている圧迫面１６ａが膨張することになり、カフ１６は供給された液体又は気体の圧力を耳珠１に効率よく伝えることができる。
【００５４】
血圧測定装置１１３は図２の血圧測定装置１１１で説明したように耳珠１に装着され、血圧測定をする。
【００５５】
従って、血圧測定装置１１３は、血圧測定装置の大きさが制限される耳珠１に安定して装着することができ、耳珠１を広く均一に圧迫して精度よく血圧測定をすることができる。
【００５６】
（実施の形態３）
本願の発明に係る血圧測定装置において、前記二のカフのうち前記被検体を圧迫する圧迫面が広いカフの圧迫面の一部又は全部の形状が前記被検体の圧迫される一部又は全部の形状に近似する形状であることが好ましい。
【００５７】
図４は、本願の発明の他の実施形態に係る血圧測定装置１１４を示す概略図である。血圧測定装置１１４は被検体として外耳の一部である耳珠１に装着する。図４において、図１及び図２で用いた符号と同じ符号は同じ機能及び同じ動作をする。血圧測定装置１１４と図１の血圧測定装置１１１との違いは図１の血圧測定装置１１１のカフ１５及び受け板１５ｂを備えず、カフ４５及び受け板４５ｂを備えたことである。すなわち、前記二のカフとしてカフ４５とカフ１６を備えている。なお、図４の血圧測定装置１１４では、カフ４５は受け板４５ｂと耳珠１との間にあるため破線で示し、第二アーム１２の一部、カフ１６及び圧迫面１６ａは耳珠１の内側にあるため表示していない。
【００５８】
カフ４５は液体又は気体を供給するポンプ及びカフ４５内の液体又は気体の圧力を測定する圧力センサが配管を通じて接続されており、図１の血圧測定装置１１１で説明したカフ１５と同じ機能であり、同じ動作をする。カフ４５とカフ１５との違いは形状である。カフ４５の一部又は全部の形状が耳珠１の外側の一部又は全部の形状に近似している。
【００５９】
受け板４５ｂは受け板１５ｂと同様に変形しない部材でカフ４５と相似形状に形成される。受け板４５ｂの機能は受け板１５ｂの機能と同じであり、カフ４５と第一アーム１１との間に搭載される。
【００６０】
血圧測定装置１１４は図２の血圧測定装置１１１で説明したように耳珠１に装着される。耳珠１の大きさにより、耳珠１を圧迫するカフの大きさは制限されるが、カフ４５の形状により耳珠１との接触面積を広くすることができ、血圧測定装置１１４の装着を安定させることができる。さらに、カフ４５は広く均一に耳珠１を圧迫することができる。
【００６１】
血圧測定装置１１４は図２の血圧測定装置１１１で説明したように血圧測定をする。
【００６２】
従って、血圧測定装置１１４は、耳珠１が複雑な形状をしていても耳珠１に安定して装着することができ、耳珠１を広く均一に圧迫して精度よく血圧測定をすることができる。
【００６３】
（実施の形態４）
本願の発明に係る血圧測定装置において、前記二のカフのうち前記被検体を圧迫する圧迫面が狭いカフの圧迫面の形状が前記二のアームの長手方向と平行な長軸を有する楕円形状であることが好ましい。
【００６４】
図５は、本願の発明の他の実施形態に係る血圧測定装置１１５を示す概略図である。血圧測定装置１１５は被検体として外耳の一部である耳珠１に装着する。図５において、図１及び図２で用いた符号と同じ符号は同じ機能及び同じ動作をする。血圧測定装置１１５と図１の血圧測定装置１１１との違いは図１の血圧測定装置１１１のカフ１６及び受け板１６ｂを備えずカフ５６及び受け板５６ｂを備えたことである。すなわち、前記二のカフとしてカフ１５とカフ５６を備えている。なお、図５の血圧測定装置１１５はカフ５６及び受け板５６ｂを説明するために耳珠１の外側に配置される第一アーム１１の一部、カフ１５及び受け板１５ｂを省いて示している。また、第二アーム１２の一部は外耳道９内部に配置されており、また、カフ５６及び受け板５６ｂは外耳道９の内壁に接触しているため破線で示している。
【００６５】
カフ５６は液体又は気体を供給するポンプ及びカフ５６内の液体又は気体の圧力を測定する圧力センサが配管を通じて接続されており、図１の血圧測定装置１１１で説明したカフ１６と同じ機能であり同じ動作をする。カフ５６とカフ１６との違いは形状である。カフ５６の圧迫面５６ａの形状は第二アーム１２の長手方向と平行な長軸を有する楕円形状である。
【００６６】
血圧測定装置１１５はカフ５６の圧迫面５６ａを外耳道９の内壁に接触させ、図２の血圧測定装置１１１で説明したように耳珠１に装着する。外耳道９の大きさにより、外耳道９の内壁を圧迫するカフの大きさは制限されるが、カフ５６の圧迫面５６ａが楕円形状としたため外耳道９の内壁との接触面積を広くすることができ、血圧測定装置１１５装着を安定させることができる。さらに、カフ５６は外耳道９の内壁を広く均一に圧迫することができる。
【００６７】
血圧測定装置１１５は図２の血圧測定装置１１１で説明したように血圧測定をする。
従って、血圧測定装置１１５は、カフ５６を外耳道９内に配置しても耳珠１に安定して装着することができ、耳珠１を広く均一に圧迫して精度よく血圧測定をすることができる。
【００６８】
（実施の形態５）
本願の発明に係る血圧測定装置において、前記被検体に光を照射する発光素子及び前記発光素子が照射した光が前記被検体を透過又は散乱した光を受光する受光素子をさらに備え、前記発光素子は前記二のカフのうち前記被検体を圧迫する圧迫面が広いカフの圧迫面上で前記被検体を圧迫する圧力の圧力分布が均一である範囲に搭載され、前記受光素子は前記二のカフのうち前記被検体を圧迫する圧迫面が狭いカフの圧迫面上で前記被検体を圧迫する圧力の圧力分布が均一である範囲に搭載される。
【００６９】
図６は、本願の発明の他の実施形態に係る血圧測定装置１１６の側面を示す概略図である。血圧測定装置１１６は被検体として外耳の一部である耳珠１に装着する。図６において、図１及び図２で用いた符号と同じ符号は同じ機能及び同じ動作をする。血圧測定装置１１６と図１の血圧測定装置１１１との違いは耳珠１の脈動によるカフ１５及びカフ１６内の圧力変動を測定する圧力変動測定から発光素子及び受光素子を用いた光電測定としたものである。具体的には血圧測定装置１１６の圧迫面１５ａの表面に発光素子６５を、圧迫面１６ａに受光素子６６をさらに備えたことである。なお、図６及び以下の図において信号配線、電源及び電源線等、通常技術で実現できるものは図示をしていない。
【００７０】
発光素子６５は血液中のヘモグロビンに吸収されやすい波長の照射光Ａを耳珠１に向けて照射する。
【００７１】
受光素子６６は耳珠１の血流の脈動に伴う血液中のヘモグロビン量の増減によって照射光Ａが透過又は散乱して生じた散乱光Ｂを光電変換し、電気信号として出力する。
【００７２】
前記光電測定手段では、血圧測定をするための脈波を得るためには良好な阻血位置に照射光Ａを照射し、散乱光Ｂを受光する必要がある。圧迫面１５ａ及び圧迫面１６ａ上には圧力均一範囲がある。カフ１５及びカフ１６が耳珠１を圧迫する際に、前記圧力均一範囲からの均一な圧力によって、被検者毎に耳珠１の血圧分布が異なっていてもカフ１５及びカフ１６は耳珠１内に良好阻血範囲６を生じさせることができる。そこで、圧迫面１５ａ及び圧迫面１６ａの圧力均一範囲に発光素子６５及び受光素子６６を搭載することで、発光素子５６は圧迫面１５ａから良好阻血範囲６に照射光Ａを照射することができ、受光素子６６は良好阻血範囲６において透過又は散乱した散乱光Ｂを圧迫面１６ａで受光することができる。
【００７３】
血圧測定装置１１６は図２の血圧測定装置１１１で説明したように装着する。カフ１５及びカフ１６は前記圧力センサが所定の値になるまで耳珠１を圧迫する圧力を強くする。カフ１５及びカフ１６が耳珠１を圧迫する圧力を減少させる過程において、受光素子６６は血流の脈動を前記電気信号として出力する。血圧測定装置１１６は前記電気信号の変動を図示しない信号受信回路で処理することにより、血流の脈動に対応する脈波を検出することができる。例えば、前記信号受信回路が前記電気信号の変動を検出し始めたときの前記圧力センサの圧力を収縮期血圧値、前記信号受信回路が前記電気信号の変動を検出できなくなったときの前記圧力センサの圧力を拡張期血圧値とすることができる。また、前記電気信号の変動の周波数から脈拍数を算出することができる。
【００７４】
従って、血圧測定装置１１６は、血圧測定装置の大きさが制限される耳珠１に安定して装着することができ、耳珠１を広く均一に圧迫して精度よく血圧測定をすることができる。
【００７５】
（実施の形態６）
本願の発明に係る血圧測定装置において、前記被検体に光を照射する発光素子及び前記発光素子が照射した光が前記被検体を透過又は散乱した光を受光する受光素子をさらに備え、前記発光素子は前記二のカフのうち前記被検体を圧迫する圧迫面が狭いカフの圧迫面上で前記被検体を圧迫する圧力の圧力分布が均一である範囲に搭載され、前記受光素子は前記二のカフのうち前記被検体を圧迫する圧迫面が広いカフの圧迫面上で前記被検体を圧迫する圧力の圧力分布が均一である範囲に搭載される。
【００７６】
図７は、本願の発明の他の実施形態に係る血圧測定装置１１７の側面を示す概略図である。血圧測定装置１１７は被検体として外耳の一部である耳珠１に装着する。図７において、図１、図２及び図６で用いた符号と同じ符号は同じ機能及び同じ動作をする。
【００７７】
血圧測定装置１１７と図６の血圧測定装置１１６との違いは、図６の血圧測定装置１１６では圧迫面１５ａの表面に発光素子６５を、圧迫面１６ａに受光素子６６を備えていたことに対し、血圧測定装置１１７では圧迫面１５ａの表面に受光素子６６を、圧迫面１６ａに発光素子６５を備えたことである。すなわち、発光素子６５は圧迫面１６ａから良好阻血範囲６に照射光Ａを照射でき、受光素子６６は良好阻血範囲６において透過又は散乱した散乱光Ｂを圧迫面１５ａで受光する。
【００７８】
血圧測定装置１１７は図６の血圧測定装置１１６で説明したように動作する。
【００７９】
従って、血圧測定装置１１７は、血圧測定装置の大きさが制限される耳珠１に安定して装着することができ、耳珠１を広く均一に圧迫して精度よく血圧測定をすることができる。
【００８０】
（実施の形態７）
本願の発明に係る血圧測定装置において、前記被検体に光を照射する発光素子及び前記発光素子が照射した光が前記被検体で反射した光を受光する受光素子をさらに備え、前記発光素子及び前記受光素子は前記二のカフのうち前記被検体を圧迫する圧迫面が狭いカフの圧迫面上で前記被検体を圧迫する圧力の圧力分布が均一である範囲に重ならないように搭載される。
【００８１】
図８は、本願の発明の他の実施形態に係る血圧測定装置１１８の側面を示す概略図である。血圧測定装置１１８は被検体として外耳の一部である耳珠１に装着する。図８において、図１、図２及び図６で用いた符号と同じ符号は同じ機能及び同じ動作をする。
【００８２】
血圧測定装置１１８と図６の血圧測定装置１１６との違いは、図６の血圧測定装置１１６では圧迫面１５ａの表面に発光素子６５を、圧迫面１６ａに受光素子６６を備えていたことに対し、血圧測定装置１１８では圧迫面１６ａの表面に発光素子６５と受光素子６６を備えたことである。すなわち、発光素子６５は圧迫面１６ａから良好阻血範囲６に照射光Ａを照射でき、受光素子６６は良好阻血範囲６において反射した反射光Ｃを圧迫面１６ａで受光する。
【００８３】
血圧測定装置１１８は図６の血圧測定装置１１６で説明したように動作する。
【００８４】
従って、血圧測定装置１１８は、血圧測定装置の大きさが制限される耳珠１に安定して装着することができ、耳珠１を広く均一に圧迫して精度よく血圧測定をすることができる。
【００８５】
（実施の形態８）
本願の発明に係る血圧測定装置において、前記被検体に光を照射する発光素子及び前記発光素子が照射した光が前記被検体で反射した光を受光する受光素子をさらに備え、前記発光素子及び前記受光素子は前記二のカフのうち前記被検体を圧迫する圧迫面が広いカフの圧迫面上で前記被検体を圧迫する圧力の圧力分布が均一である範囲に重ならないように搭載される。
【００８６】
図９は、本願の発明の他の実施形態に係る血圧測定装置１１９の側面を示す概略図である。血圧測定装置１１９は被検体として外耳の一部である耳珠１に装着する。図９において、図１、図２及び図６で用いた符号と同じ符号は同じ機能及び同じ動作をする。
【００８７】
血圧測定装置１１９と図６の血圧測定装置１１６との違いは、図６の血圧測定装置１１６では圧迫面１５ａの表面に発光素子６５を、圧迫面１６ａに受光素子６６を備えていたことに対し、血圧測定装置１１９では圧迫面１５ａの表面に発光素子６５と受光素子６６を備えたことである。すなわち、発光素子６５は圧迫面１５ａから良好阻血範囲６に照射光Ａを照射でき、受光素子６６は良好阻血範囲６において反射した反射光Ｃを圧迫面１５ａで受光する。
【００８８】
血圧測定装置１１９は図６の血圧測定装置１１６で説明したように動作する。
【００８９】
従って、血圧測定装置１１９は、血圧測定装置の大きさが制限される耳珠１に安定して装着することができ、耳珠１を広く均一に圧迫して精度よく血圧測定をすることができる。
【産業上の利用可能性】
【００９０】
本願発明の血圧測定装置は、健康保持や健康診断のための生体情報を検出する健康器具に適用することができる。
【図面の簡単な説明】
【００９１】
【図１】本願発明の一の実施形態に係る血圧測定装置の側面を示す概略図である。
【図２】本願発明の一の実施形態に係る血圧測定装置の装着例を示す図である。
【図３】本願発明の他の実施形態に係る血圧測定装置の側面を示す概略図である。
【図４】本願発明の他の実施形態に係る血圧測定装置を示す概略図である。
【図５】本願発明の他の実施形態に係る血圧測定装置を示す概略図である。
【図６】本願発明の他の実施形態に係る血圧測定装置の側面を示す概略図である。
【図７】本願発明の他の実施形態に係る血圧測定装置の側面を示す概略図である。
【図８】本願発明の他の実施形態に係る血圧測定装置の側面を示す概略図である。
【図９】本願発明の他の実施形態に係る血圧測定装置の側面を示す概略図である。
【符号の説明】
【００９２】
１１１、１１３、１１４、１１５、１１６、１１７、１１８、１１９  血圧測定装置
１  耳珠
６  良好阻血範囲
９  外耳道
１０  Ｕ字型構造挟持部
１１  第一アーム
１２  第二アーム
１５、１６、４５、５６  カフ
１５ａ、１６ａ、５６ａ  圧迫面
１５ｂ、１６ｂ、４５ｂ、５６ｂ  受け板
１７  配管
１９  調整部
３５、３６  枠
６５  発光素子
６６  受光素子
Ａ  照射光
Ｂ  散乱光
Ｃ  反射光
【図１】
2006325825.tif 000003
【図２】
2006325825.tif 000004
【図３】
2006325825.tif 000005
【図４】
2006325825.tif 000006
【図５】
2006325825.tif 000007
【図６】
2006325825.tif 000008
【図７】
2006325825.tif 000009
【図８】
2006325825.tif 000010
【図９】
2006325825.tif 000011